(57)【特許請求の範囲】
【請求項１】
支持体上にレーザ光に感光する感熱記録層を形成し、該感熱記録層にはレーザ光より熱破壊されて着色される着色層を有すると共に、前記感熱記録層上にレーザ光を吸収せずにレーザ光の波長領域を透過させる光フィルターとなっている表面層を形成してなる情報記録媒体であって、
前記感熱記録層を、厚さ方向に厚さを変化させて立体的形状をなす支持体上に形成し、
前記表面層の少なくとも最表面層部は前記感熱記録層の熱破壊温度よりも低い温度で熱破壊する感熱層である
ことを特徴とする情報記録媒体。
【請求項２】
前記感熱記録層は、前記レーザ光により熱破壊する感熱剤にレーザ光を吸収する光熱変換剤を含浸させた１以上の層からなることを特徴とする請求項１に記載の情報記録媒体。
【請求項３】
前記支持体と感熱記録層との間に分離層を設けたことを特徴とする請求項１あるいは２に記載の情報記録媒体。
【請求項４】
前記感熱記録層の主成分は、ロイコ染料、ロイコ染料と顕色剤との混合体、ロイコ染料及び顕色剤とバインダーとの混合体、すずを中心とした金属、樹脂と有機高分子との混合体を中心とした金属、顕色剤および減色剤とバインダーとを組合わせたロイコ染料、結晶のうちの少なくともいずれかを主成分としていることを特徴とする請求項１乃至請求項３に記載の情報記録媒体。
【発明の詳細な説明】
【０００１】
【産業上の利用分野】
本発明は、非接触方式で画像を記録する情報記録媒体に関し、特に情報記録媒体を変造すると、変造した事が容易に判別出来る事によって、高いセキュリティー性が得られる情報記録媒体に関するものである。
【０００２】
【従来の技術】
従来、情報記録媒体としては、プラスチック製のＩＤカード等の身分証明書や運転免許証、あるいは外国での国民登録証、パスポート、出国カード、学生証、社員証、貯金通帳、クレジットカード、プリペイドカード、証明カード等が知られている。  このような情報記録媒体に記録を行う方法としては、転写リボンを介して、或は、直接にサーマルヘッドをプラスチックカード等の表面に接触させ、サーマルヘッドの加熱制御によりプラスチックカード等の情報記録媒体表面に文字を含む画像記録を行っている。
【０００３】
【発明が解決しようとする課題】
しかしながら、このようなサーマルヘッドにより画像記録を行う場合、情報記録媒体表面の文字画像や顔等の中間調画像を変造するのが容易で、セキュリティー性が低いという問題点があった。また、一旦、文字画像や顔等の中間調画像をサーマルヘッド等により形成した後に、表面保護層で情報記録媒体を覆う等により、内部に記録画像を形成しても、記録画像が内部に形成されているとは容易には判断できないために、情報記録媒体表面の文字画像や顔等の中間調画像が変造されるという問題点があった。
さらに、平面的な上記の内部記録画像の変造に対しては、表面保護層を削除してから、記録画像を変造し、そして、表面保護層を新たに設けるといった変造も比較的容易であるので、やはり情報記録媒体とその画像に対してセキュリティー性が低いという問題点があった。
【０００４】
そこで本発明は、情報記録媒体を変造すると、変造したことが容易に判別できる高いセキュリティーを有する情報記録媒体を提供する。
【０００５】
【課題を解決するための手段】
上記の目的を達成するために、本発明の請求項１によれば、
支持体上にレーザ光に感光する感熱記録層を形成し、該感熱記録層にはレーザ光より熱破壊されて着色される着色層を有すると共に、前記感熱記録層上にレーザ光を吸収せずにレーザ光の波長領域を透過させる光フィルターとなっている表面層を形成してなる情報記録媒体であって、
前記感熱記録層を、厚さ方向に厚さを変化させて立体的形状をなす支持体上に形成し、
前記表面層の少なくとも最表面層部は前記感熱記録層の熱破壊温度よりも低い温度で熱破壊する感熱層である
ことを特徴とするものである。
【０００６】
また、本発明の請求項２によれば、
前記感熱記録層は、レーザ光により熱破壊する感熱剤にレーザ光を吸収する光熱変換剤を含浸させた１以上の層からなることを特徴とする。
【０００９】
また、本発明の請求項３によれば、
前記支持体と感熱記録層との間に分離層を設けたことを特徴とする。
【００１０】
さらに、本発明の請求項４によれば、
前記感熱記録層の主成分は、ロイコ染料、ロイコ染料と顕色剤との混合体、ロイコ染料及び顕色剤とバインダーとの混合体、すずを中心とした金属、樹脂と有機高分子との混合体を中心とした金属、顕色剤および減色剤とバインダーとを組合わせたロイコ染料、結晶のうちの少なくともいずれかを主成分としていることを特徴とする。
【００１１】
【作用】
本発明の請求項１の情報記録媒体によれば、厚さ方向に厚さを変化させて立体的形状をなす支持体上に、レーザ光により熱破壊されて着色される着色層を形成し、さらに着色層の上を表面層で保護してあるので、レーザ光を照射することにより３次元的に着色層が熱破壊されて目視出来るようになる。また、保護してある表面層は、レーザ光を吸収しないので、着色層を通過するレーザ光のパワー減衰量が少ない。
また、表面層をレーザ光の波長領域を透過させる光フィルターとすると、特定の波長領域外のレーザ光等を遮光することが出来るので、記録情報の変造や改ざん防止の効果を顕著に向上させることができる。
また、表面層の少なくとも最表面層部は感熱記録層の熱破壊温度よりも低い温度で熱破壊するので、例えば、サーマルヘッドやサーマルニードル等の接触加熱記録手段で変造や改ざんしようとしても、感熱層を保護する表面層が先に熱破壊するために、偽造防止効果が高い。
【００１２】
また、請求項２の情報記録媒体によれば、感熱記録層は、レーザ光により熱破壊する感熱剤にレーザ光を吸収する光熱変換剤を含浸させた１以上の層からなるので、レーザ光の吸収能力が高まり、ビームのパワーを低下させることが可能となる。
【００１５】
また、請求項３の情報記録媒体によれば、支持体と感熱記録層との間に分離層が設けられているので、表面層や感熱層等を剥がして変造や改ざんをしようとすると、感熱記録層が分離して変造や改ざんが出来なくなってしまう。
【００１６】
さらに、請求項４の情報記録媒体によれば、感熱記録層の主成分は、ロイコ染料、ロイコ染料と顕色剤との混合体、ロイコ染料及び顕色剤とバインダーとの混合体、すずを中心とした金属、樹脂と有機高分子との混合体を中心とした金属、顕色剤および減色剤とバインダーとを組合わせたロイコ染料、結晶のうちの少なくともいずれかを主成分としているので、レーザによるエネルギーが小さくとも充分に着色されて可視化する。
【００１７】
【実施例】
以下、本発明の実施例にかかる情報記録媒体を図面に基づいて説明する。
【００１８】
＜実施例１＞
先ず、図１（ａ）〜（ｄ）は、一実施例における文字を含む画像を記録する情報記録媒体の断面構成を示す。
この実施例において、情報記録媒体は、例えば、ＩＤカードや運転免許証等のプラスチックカード（Ｐ）であり、図１（ａ）に示すように、厚さ方向に厚さを円弧状に変化させた支持体（１１）と、感熱記録層（１２）と、表面層（１３）とからなる。尚、情報記録媒体としては、ＩＤカードの他に、会員カード、プリペイドカード、ＩＣカード、クレジットカード、パスポート、出国カード、学生証、社員証、貯金通帳、身分証明用のカード、ワッペンやシール等の検査証や所有者証、外国での国民登録証等、その他が考えられる。
本実施例において、支持体（１１）は感熱記録層（１２）の感熱温度と同等かそれ以上の耐熱温度を有する高分子材料、例えば、ポリ塩化ビニル（ＰＶＣ）、ポリエチレンテレフタレート（ＰＥＴ）、ＡＢＳ樹脂、フェノール樹脂、ポリブチレンテレフタレート（ＰＢＴ）、ポリカーボネート（ＰＣ）、ポリプロピレン（ＰＰ）、ポリメチルメタアクリレート（ＰＭＭＡ）、ポリテトラフルオロエチレン（ＰＴＦＥ）、テトラフルオロエチレン−パーフルオロアルキルビニルエーテルコポリマー（ＰＦＡ）、ポリフェニレンサルファイド（ＰＰＳ）、等の高分子材料や、紙、木材、ガラス等からなる板状のものであるが、手帳やノートタイプのものであっても良い。
【００１９】
また、厚さ方向に厚さを円弧状に変化させた支持体（１１）の上には、レーザ光による記録を行う部分として感熱記録層（１２）が形成されている。この感熱記録層（１２）を形成する主成分は、ロイコ染料、あるいは、ロイコ染料と顕色剤との組合わせ、或はロイコ染料と顕色剤とバインダーとの組合わせがあり、例えばロイコ染料としては、
３，３−ビス（ｐ−ジメチルアミノフェニル）−６−ジメチルアミノフタリド、３，３−ビス（ｐ−ジメチルアミノフェニル）フタリド、３−（ｐ−ジメチルアミノフェニル）−３−（１、２−ジメチルインドール−３−イル）フタリド、３−（ｐ−ジメチルアミノフェニル）−３−（２−メチルインドール−３−イル）フタリド、３，３ビス（１，２−ジメチルインドール−３−イル）−５−ジメチルアミノフタリド、３，３−ビス（１，２ジメチルインドール−３−イル）−６−ジメチルアミノフタリド、３，３ビス（９−エチルカルバゾール−３−イル）−６−ジメチルアミノフタリド、３，３−ビス（２−フェニルインドール−３−イル）−６−ジメチルアミノフタリド、３−ｐ−ジメチルアミノフェニル−３−（１−メチルピロロール−３−イル）−６−ジメチルアミノフタリド等のトリアリルメタン系染料、４，４’−ビス−ジメチルアミノベンズヒドリルベンジルエーテル、Ｎ−ハロフェニル−ロイコオーラミン、Ｎ−２，４，５−トリクロロフェニルロイコオーラミン等のジフェニルメタン系染料、ベンゾイルロイコメチレンブルー、ｐ−ニトロベンゾイルロイコメチレンブルー等のチアジン系染料、３−メチル−スピロージナフトビラン、３−エチル−スピロ−ジナフトビラン、３−フェニル−スピロ−ジナフトビラン、３−ベンジル−スピロ−ジナフトビラン、３−メチル−ナフト（６’−メトキシベンゾ）スピロビラン、３−プロピル−スピロ−ジベンゾビラン等のスピロ系染料、ローダミン−Ｂ−アニリノラクタム、ローダミン（ｐ−ニトロアニリノ）ラクタム、ローダミン（ｏ−クロロアニリノ）ラクタム等のラクタム系染料、３−ジメチルアミノ−７−メトキシフルオラン、３−ジエチルアミノ−６−メトキシフルオラン、３−ジエチルアミノ−７−メトキシフルオラン、３−ジエチルアミノ−７−クロロフルオラン、３−ジエチルアミノ６−メチル−７−クロロフルオラン、３−ジエチルアミノ−６，７−ジメチルフルオラン、３−（Ｎ−エチル−Ｎ−ｐ−トルイジノ）−７−メチルフルオラン、３−ジエチルアミノ−７−アセチル−Ｎ−メチルアミノフルオラン、３−ジエチルアミノ−７−Ｎ−メチルアミノフルオラン、３−ジエチルアミノ−７−ジベンジルアミノフルオラン、３−ジエチルアミノ−７−Ｎ−クロロエチル−Ｎ−メチルアミノフルオラン、３−ジエチルアミノ−７−Ｎ−ジエチルアミノフルオラン、３−（Ｎ−エチル−Ｎ−ｐ−トルイジノ）−６−メチル−７−フェニルアミノフルオラン、３−（Ｎ−エチル−Ｎ−ｐ−トルイジノ）−６−メチル−７−（ｐ−トルイジノ）フルオラン、３−ジエチルアミノ−６−メチル−７−フェニルアミノフルオラン、３−ジエチルアミノ−７−（２−カルボメトキシ−フェニルアミノ）フルオラン等を挙げることができる。
【００２０】
また、顕色剤としては、
活性白土、酸性白土、アタバルジャイト、ベントナイト、コロイダルシリカ、珪酸アルミニウム等の無機酸性物質、４−ｔｅｒｔ−ブチルフェノール、４−ヒドロキシジフェノキシド、α−ナフトール、β−ナフトール、４−ヒドロキシアセトフェノール、４−ｔｅｒｔ−オクチルカテコール、２，２’−ジヒドロキシジフェノール、２，２’−メチレンビス（４−メチル−６−ｔｅｒｔ−イソブチルフェノール）、４，４’−イソプロピリデンビス（２−ｔｅｒｔ−ブチルフェノール）、４，４’−ｓｅｃ−ブチリデンフェノール、４−フェニルフェノール、４，４’−イソプロピリデンジフニルフェノール、２，２’−メチレンビス（４−クロルフェノール）、ハイドロキノン、４，４’−シクロヘキシリジンジフェノール、ノボラック型フェノール樹脂、フェノール重合体などのフェノール性化合物、安息香酸、ｐ−ｔｅｒｔ−ブチル安息香酸、トリクロル安息香酸、テエフタル酸、３−ｓｅｃ−ブチル−４−ヒドロキシ安息香酸、３−シクロヘキシル−４−ヒドロキシ安息香酸、３，５−ジメチル−４−ヒドロキシ安息香酸、サリチル酸、３−イソプロピルサリチル酸、３−ｔｅｒｔ−ブチルサリチル酸、３−ベンジルサリチル酸、３−（α−メチルベンジル）サリチル酸、３−クロル−５−（α−メチルベンジル）サリチル酸、３，５−ジ−ｔｅｒｔ−ブチルサリチル酸、３−フェニル−５−（α，α−ジメチルベンジル）サリチル酸、３，５−ジ−α−メチルベンジルサリチル酸、等の芳香属カルボン酸、および、これらフェノール性化合物、芳香属カルボン酸と例えば亜鉛、マグネシイウム、アルミニウム、カルシウム、チタン、マンガン、スズ、ニッケル等の多価金属との塩などの有機酸性物質等を挙げることができる。
【００２１】
また、バインダーとしては、
ニトロセルロース、リン酸セルロース、プロピオン酸セルロース、酢酸セルロース、酪酸セルロース、ミリスチン酸セルロース、パルミチン酸セルロース、酢酸・プロピオン酸セルロース、酢酸・酪酸セルロース、等のセルロースエステル類、メチルセルロース、エチルセルロース、プロピルセルロース、等のセルロースエーテル類、ポリスチレン、ポリ塩化ビニル、ポリ酢酸ビニル、ポリビニルブチラール、ポリビニルアセタール、ポリビニルアルコール、ポリビニルピロリドン等のビニル樹脂類  スチレン−ブタジエンコポリマー、スチレン−アクリロニトリルコポリマー、スチレン−ブタジエン−アクリロニトリルコポリマー、塩化ビニル−酢酸ビニルコポリマー、等の共重合樹脂類、ポリメチルアクリレート、ポリブチルアクリレート、ポリアクリル酸、ポリメタクリル酸、ポリアクリルアミド、ポリアクリロニトリル等のアクリル樹脂類、ポリエチレンテレフタレート等のポリエステル類、ポリ（４，４’イソプロピリデンジフェニレン−コ−１，４−シクロヘキシレンジメチレンカーボネート）、ポリ（エチレンジオキシ−３，３’−フェニレンチオカーボネート）、ポリ（４，４’−イソプロピリデンジフェニレンカーボネート−コ−テレフタレート）、ポリ（４，４’−イソプロピリデンジフェニレンカーボネート）、ポリ（４，４’−ｓｅｃ−ブチリデンジフェニレンカーボネート）、ポリ（４，４’−イソプロピリデンジフェニレンカーボネート−ブロック−オキシエチレン）等のポリアリレート樹脂類、ポリアミド類、ポリイミド類、エポキシ樹脂類、フェノール樹脂類、ポリエチレン、ポリプロピレン、塩素化ポリエチレン等のポリオレフィン類、等が挙げられる。
さらに、これらのロイコ染料系の他に、スズ、スズとビスマスやアンチモン等のスズ合金系、Ｔｅ等の低融点金属系、液晶系、樹脂と有機高分子との混合体系等のいずれかからなる。
なお、感熱記録層（１２）だけではレーザ等を効率良く吸収できない場合は、光吸収剤として、ポリメチン系、ナフトキノン系、アンスラキン系、トリフェニルメタン系、アミニウム系、ジインモニウム系等の有機系色素、フタロシアニン系、ナフタロシアニン系、ジチオール系等の金属錯体、Ｆｅ2+ 及び、／又は、Ｃｕ2+ を含有する赤外線吸収ガラス、その他、金属酸化物、金属硫化物、金属水酸化物、等の光吸収剤を感熱記録剤に含有させるか、光吸収層として感熱記録剤を層状に設ける。
【００２２】
さらに、表面層（１３）には可視領域の波長のレーザ光を吸収せず、感熱記録層（１２）と同等、または感熱記録層（１２）よりも低温で熱破壊する高分子化合物、例えば、塩化ビニル、酢酸ビニル、塩化ビニル−酢酸ビニルコポリマー、塩化ビニル−酢酸ビニルコポリマーとポリエステルとの混合物、塩化ビニル−酢酸ビニルコポリマーとポリメチルメタアクリレートとの混合物、ポリエチレンテレフタレート等のポリエステル系樹脂、エポキシ系樹脂、ポリスチレン、ポリスチレンアクリレート、等であって、ガラス転移温度等の相変態温度の最低１つが、感熱記録層（１２）と同等か、それより低いものが用いられる。
【００２３】
次に、情報記録媒体の支持体（１１）の例としては、図１（ｂ）に示すように、支持体中央部が凹状にしたもの、図１（ｃ）に示すように、細かい蒲鉾状の断面のものや、図１（ｄ）に示すように、直線的な変化をさせたもの等の他に、図２（ａ），（ｂ）に示すように、走査方向のＸ方向とＹ方向とのパターンが違うもの等様々な断面が可能である。なお、これらの情報記録媒体を、図示はしないが、レーザ光にて画像形成したものは、記録画像が情報記録媒体の内面に有ることが、記録画像の３次元化により容易に分るので、表面に他の画像を張り合わせるなどによる変造、改ざんされた情報記録媒体とは、容易に違うものであると認識できるため、非常に高いセキュリティー性を有することができる。また、サーマルヘッド等の接触式の記録方法で改ざん、変造等を行った場合には、サーマルヘッドの熱は表面層（１３）からの熱伝導による伝熱になり、必ず、表面層の温度の方が感熱記録層（１２）よりも温度が高くなってしまう。その結果、感熱記録層（１２）に記録する前に、表面層（１３）を熱破壊してしまう事になり、改ざん、変造等を行ったことが判明する。さらに、高出力の光ヘッド等を利用して改ざん、変造をしようとしても、焦点面が支持体の厚さ方向で違うため、焦点が感熱記録層（１２）の各面に合焦せず、記録出来ない。この様に改ざん、変造することが非常に困難となる。
【００２４】
＜実施例２＞
次に、情報記録媒体の他の実施例について説明する。
図３のプラスチックカード（Ｐ）は、支持体（２１）上に、先に呈示した様なロイコ染料、或はロイコ染料と顕色剤、或はロイコ染料と顕色剤とバインダ等や、スズ、スズとビスマスやアンチモン等のスズ合金系、Ｔｅ等の低融点金属系、液晶系、樹脂と有機高分子との混合体系等による感熱記録層（２２）があり、この感熱記録層（２２）そのものがレーザ光に対して吸収性のあるものであったり、光熱変換剤を予め混ぜたものであり、これによって、レーザ光の吸収性が高められ表面層（２３）により保護されている。
【００２５】
＜実施例３＞
また、図４のプラスチックカード（Ｐ）は、支持体（２１）上の感熱記録層（２２）に、先に呈示した様な  ポリメチン系、ナフトキノン系、アンスラキン系、トリフェニルメタン系、アミニウム系、ジインモニウム系等の有機系色素、フタロシアニン系、ナフタロシアニン系、ジチオール系等の金属錯体、Ｆｅ2+ 及び、／又は、Ｃｕ2+ を含有する赤外線吸収ガラス、その他、金属酸化物、金属硫化物、金属水酸化物、等の光吸収剤からなる光吸収層（２５）を分けたもので、レーザ光の照射時に表面層（２３）と光熱変換層（２５）との境界は若干熱破壊されるが、昇温の中心が光熱変換層（２５）であるので、表面層（２３）からサーマルヘッド等の接触加熱式の記録法に比べて、レーザ光の吸収による伝熱の方が感熱記録層への伝熱距離が短かく効率が良い。従って、表面層（２３）の温度上昇は接触加熱式の記録法に比べて少なく、外見から判るような熱破壊は受けない。従って、レーザ光による記録は可能であるが、サーマルヘッド等による改ざん、変造は出来ない。
【００２６】
＜実施例４＞
また、図５は、光熱変換層（２５）を支持体（２１）上の深部に形成したものである。図５のプラスチックカード（Ｐ）によれば、レーザ光の照射による表面層（２３）の熱破壊もなくなる。
【００２７】
＜実施例５＞
図６のプラスチックカード（Ｐ）は、支持体（２１）の上に感熱記録層（２２）が形成され、さらに、その上に光熱変換層（２５）を形成し、光熱変換層（２５）の上は耐熱性のある難熱破壊表面層（２８）とし、最表面層は直接加熱で直ちに熱破壊する易熱破壊表面層（２９）として改ざん、変造防止効果を高めている。
【００２８】
＜実施例６＞
さらに、図７に示すプラスチックカード（Ｐ）は、支持体（２１）の上面に分離層（３０）が設けられており、支持体（２１）から感熱記録層（２２）以上の層を剥がそうととすると、分離層（３０）から剥がれるようになっている。ちなみに分離層（３０）は、実施例６に限定するものではなく、実施例１から実施例５迄の層構造にも適応できることは言うまでも無い。
【００２９】
【発明の効果】
本発明の情報記録媒体によれば、厚さ方向の厚さを変化させて立体的形状をなす支持体上に、レーザ光により熱破壊されて着色される着色層を設け、さらに着色層の上を表面層で保護しているので、レーザ光を照射することにより３次元的に着色層が熱破壊されて目視出来るようになる。また、保護層としての表面層は、レーザ光を吸収しないので、着色層を通過するレーザ光のパワー減衰量が少ない。また、感熱記録層は、レーザ光により熱破壊する感熱剤にレーザ光を吸収する光熱変換剤を含浸させた１以上の層からなるので、レーザ光の吸収能力が高まり、ビームのパワーを低下させることが可能となる。さらに、表面層をレーザ光の波長領域を透過させる光フィルターとすると、特定の波長領域外のレーザ光等を遮光することが出来るので、画像情報の改ざんや変造防止効果を顕著に向上させることができる。
【００３０】
また、本発明の情報記録媒体によれば、表面層の少なくとも最表面層部は感熱記録層の熱破壊温度よりも低い温度で熱破壊するので、例えば、サーマルヘッドやサーマルニードル等の接触加熱記録手段で変造や改ざんしようとしても、感熱層を保護する表面層が先に熱破壊するために、偽造防止効果が高い。また、支持体と感熱記録層との間に分離層が設けてあるので、表面層や感熱層等を剥がして変造や改ざんをしようとすると、感熱記録層が分離して変造や改ざんが出来なくなってしまう。
【００３１】
さらに、本発明の情報記録媒体によれば、感熱記録層の主成分は、ロイコ染料、ロイコ染料と顕色剤との混合体、ロイコ染料及び顕色剤とバインダーとの混合体、すずを中心とした金属、樹脂と有機高分子との混合体を中心とした金属、顕色剤および減色剤とバインダーとを組合わせたロイコ染料、結晶のうちの少なくともいずれかを主成分としているので、レーザによるエネルギーが小さくとも充分に着色されて可視化する。
【図面の簡単な説明】
【図１】本発明の一実施例における文字を含む画像を記録する情報記録媒体の積層構成を示す断面で表した説明図（ａ）〜（ｄ）である。
【図２】本発明の他の実施例における情報記録媒体の積層構成を断面（ａ）と、平面（ｂ）で表した説明図である。
【図３】本発明の他の実施例における情報記録媒体の積層構成を断面で表した説明図である。
【図４】本発明の他の実施例における情報記録媒体の積層構成を断面で表した説明図である。
【図５】本発明の他の実施例における情報記録媒体の積層構成を断面で表した説明図である。
【図６】本発明の他の実施例における情報記録媒体の積層構成を断面で表した説明図である。
【図７】本発明の他の実施例における情報記録媒体の積層構成を断面で表した説明図である。
【符号の説明】
１１…支持体
１２…感熱記録層
１３…表面層
２１…支持体
２２…感熱記録層
２３…表面層
２５…光熱変換層
２８…難熱破壊表面層
２９…易熱破壊表面層
３０…分離層
Ｐ…プラスチックカード
【図１】
0003744012.tif 000002
【図２】
0003744012.tif 000003
【図３】
0003744012.tif 000004
【図４】
0003744012.tif 000005
【図５】
0003744012.tif 000006
【図６】
0003744012.tif 000007
【図７】
0003744012.tif 000008